(57)【特許請求の範囲】
【請求項１】
壁面に沿って配設されるサブカウンターと、このサブカウンターの前面側略中央部から居住区側へＴ字状に突出して配設されたメインカウンターとを有し、該メインカウンターにおける前記サブカウンターよりも突出した部分に加熱具が配設され、該加熱具よりも居住区寄りにシンクが配設されていることを特徴とするキッチン設備。
【請求項２】
メインカウンターの居住区側に面する端面にサイドテーブルが配設されている請求項１に記載のキッチン設備。
【請求項３】
メインカウンターの居住区側に面する端面にサイドワゴンが配設されている請求項１に記載のキッチン設備。
【発明の詳細な説明】
【０００１】
【発明の属する技術分野】
本発明は、メインカウンターを、サブカウンターに対し、居住区側へＴ字状に突出させるようにしたキッチン設備に関するものである。
【０００２】
【従来の技術】
従来のキッチンで作業をしながらリビング等の居住区に居る人の様子を察知したり、対話したりすることのできるキッチンカウンターは、図１８に示すように、対面型のものであった（例えば、特許文献１参照）。キッチンの奥部側壁面には、ワークトップ２が配設されており、このワークトップ２から所定の作業空間領域（通路）３を隔ててコンロ４とシンク５とを備えたキッチンカウンター１がワークトップ２と平行に配設されている。キッチンカウンター２は、一方側の壁面に一端側が密着しており、他端側は対向する壁面との間に隙間を有し、通路６となっている。
このような対面型のキッチンカウンター１は、ワークトップ２との間に作業者が位置し、リビング等の居住区にいる子供達の様子を見ながら作業ができるように、また対話ができるようになっている。
【０００４】
【特許文献１】
特開２００１−２５６６６３号公報
【０００５】
【発明が解決しようとする課題】
ところが、従来の特許文献１等の技術にあっては、ワークトップ２とキッチンカウンター１との間の作業空間領域から居住区側へ移動する場合には、直線状に進むことができず、Ｌ字状に迂回する必要があり、煩わしかった。
またキッチンカウンター１は、居住区側からも調理作業等が行えるように一応はなっているものの、ワークトップ２との間での作業のやり取りを行わなければならず、共同作業が行い難いという欠点があった。
更に、ワークトップ２へ向かっている場合は、子供やその他の家族等の居る居住区側に背中を向けて立っている姿勢であり、居住区側の家族等の気配がわかり難いという欠点があった。
【０００７】
【課題を解決するための手段】
本発明は従来の前記課題に鑑みてこれを改良除去したものであって、居住区側への移動及び共同作業が容易で、子供やその他の家族等の気配を容易に感じ取ることができるキッチン設備を提供せんとするものである。
【０００８】
而して、前記課題を解決するために本発明が採用した手段は、壁面に沿って配設されるサブカウンターと、このサブカウンターの前面側略中央部から居住区側へＴ字状に突出して配設されたメインカウンターとを有し、該メインカウンターにおける前記サブカウンターよりも突出した部分に加熱具が配設され、該加熱具よりも居住区寄りにシンクが配設されていることを特徴とするキッチン設備である。
本発明に係るキッチン設備は、メインカウンターが居住区側へＴ字状に突出しているので、メインカウンターで調理の作業をしている者は、ストレートに居住区側へ移動することができ、便利である。また居住区における子供やその他の家族の気配も容易に感じ取ることが可能である。
【０００９】
また本発明によれば、サブカウンターの前面側略中央部から居住区側へＴ字状に突出してメインカウンターを配設したので、メインカウンターの長手方向の対面側にも作業領域が確保されるから、共同作業が容易に行える。この場合、メインカウンターの対面側には、段差を設け作業スペースを明確に区分けすることで、作業ごとに領域を分担するようにできる。更に、メインカウンターの居住区側に面する端面に、サイドテーブルやサイドワゴンを付属して設置してもよい。メインカウンター内を配管スペースとして利用することもできる。更にまた、メインカウンターの下方空間に棚を脱着自在に装着できるようにし、収納空間として利用したり、ニースペースとして利用したりでき、当該下方空間の有効利用が可能である。
一方、サブカウンターの周辺には、その上方にウォールユニットやフードを設けたり、ワゴンをサブカウンター内へ組み込んだりし、より多目的な利用ができるようにしてもよい。
更に、サブカウンターとメインカウンターの両者間においては、両方のカウンターを一体的に形成し、その統一的なデザインを図ったり、また段差を設けてそれぞれのカウンターごとの作業を明確に分離化したり、両カウンターを通じて配管スペースを設けたり、両カウンター間に通路を設けたりすることで、より多目的な利用ができるようにしてもよい。
【００１０】
【発明の実施の形態】
以下に、本発明の構成を図面に示す発明の実施の形態に基づいて説明すると次の通りである。図１乃至図４は本発明の第１の実施の形態に係るものであり、図１はキッチン設備１の全体を示す斜視図、図２はサイドテーブルを付加した場合の同平面図、図３はサイドテーブルを付加した場合の同側面図、図４はサイドテーブルを付加した場合の同正面図である。同図に示す如く、この実施の形態のキッチン設備１は、ダイニングやリビング等の居住区Ｒ側に対して奥部の壁面Ｗａに沿って配設されるサブカウンター２と、このサブカウンター２の前面側略中央部から居住区Ｒ側にＴ字状に突出して配設されたメインカウンター３とを有している。両カウンター２及び３の高さは同じである。
【００１１】
サブカウンター２は、収納キャビネット４と引出キャビネット５とを有し、その上方の壁面にはウォールユニット６が取り付けられている。またサブカウンター２の右端側には壁面Ｗｂとの間に冷蔵庫７が設置されている。
【００１２】
一方、メインカウンター３は、サブカウンター２寄りに加熱具としてのコンロ８が配設され、居住区Ｒ寄りにシンク９が配設されている。またメインカウンター３の右側面には、グリル１０と収納キャビネット１１と食器洗い乾燥機１２とが配設されてメインの作業領域Ｄが形成されている。更に、メインカウンター３は、その左側面寄りに作業のできる領域（ワークトップとしての領域）が形成されており、左側面はサブの作業領域Ｅとなっている。従って、メインカウンター３の左右両側面において作業領域Ｄ及びＥが形成されており、両側から共同作業が容易に行えるようになっている。
【００１３】
なお、メインカウンター３の左側面には、ユーティリテースペースとしての収納棚２４（図１７参照）や収納キャビネット等を設けるようにすることも可能である。図１７に示す収納棚２４は、キャビネット側板２５に脱着自在に取り付けたダボ２６に、棚板下面に設けた半円筒状の凹部を載置して係合させることで脱着自在としている。また下段の収納棚２７は、蹴込み２８と一体形成されており、メインカウンター３の下方空間２９を収納空間として利用するときは、前記の如く、収納棚２４をセットして任意の物を収納すればよい。一方、下方空間２９をニースペースとして利用する場合は、これらの収納棚２４及び２７を取り外して利用すればよい。これにより、椅子に座ったままで膝を下方空間２９へ差し入れてメインカウンター３の上での調理作業を行ったりすることが可能である。更に、下方空間２９における収納棚２４を取り外した状態においては、テーブルをメインカウンター３へ密着させて配設するか又はメインカウンター３の下方へ入り込ませる等してセットし、サイドテーブルを備えたメインカウンター３とすることも可能である。
【００１４】
またメインカウンター３の居住区Ｒ側の端面には、サイドテーブル１３（図２〜図４参照）が配設されている。サイドテーブル１３以外にもワゴンであってもよく、引出を備えたサイドキャビネット等であってもよい。
メインカウンター３のコンロ８の上方には、レンジフード１４が配設されている。このレンジフード１４は、ウォールユニット６の中央のキャビネットの中を通って外部へ排気ダクトが連通するようになされている。
【００１５】
このように構成されたキッチン設備１であれば、メインカウンター３では、左右両側面の作業領域Ｄ及びＥにおいて、対面形式で共同作業を行うことができ、家族参加型の調理作業が行える。またダイニングやリビング等の居住区Ｒ側にいる子供やその他の家族の気配を十分に察知することができ、家族のコミュニケーションが進み、何かあったときには作業領域Ｄ及びＥからストレートに居住区Ｒ側へ移動することができるので迅速な対処が可能である。更に、作業領域Ｄ及びＥにおける視野も広くなり、ゆったりとした気分で快適な作業が行えるという利点もある。なお、図示は省略するが、メインカウンター３のメイン作業領域Ｄとサブ作業領域Ｅとの間に段差を設けて、明確に領域を区分けすることで、作業の種類ごとに区分けした領域を利用する等の便利な使い方も可能である。更にまた、サイドテーブル１３を配置した場合には、子供やその他の家族が配膳を手伝うこともできる。
【００１６】
図５は本発明の変形例を示すものであり、図（Ａ）はレンジフード１４の平面図、図（Ｂ）はキッチン設備を作業領域側から見たレンジフード１４の位置における縦断面図である。同図に示す如く、この変形例において、サブカウンター２に対して居住区Ｒ側へＴ字状に突出してメインカウンター３を配設したことについては、前記図１〜図４に示すものと同じである。そして、メインカウンター３のコンロ８の上方にレンジフード１４を配設し、昇降自在なウォールキャビネット１６に取り付けるようにした点で相違している。レンジフード１４内には換気扇１７が配設され、排気ダクト１８はキャビネット１６を貫通して外部へ連通している。図（Ｂ）の鎖線は、キャビネット１６を降下させた時の状態である。
【００１７】
図６に示すキッチン設備は、図５に示すキッチン設備の排気ダクト１８を上の階へ抜き出すようにした点で相違するのみである。また図７に示すキッチン設備は、図５に示すキッチン設備のキャビネット１６を下方へ延長して設け、開閉扉１９で開閉して収納物を出し入れするようにしたものである。
【００１８】
図８は参考例を示す図面、図９〜図１６はそれぞれ本発明の他の変形例を示す図面である。図８に示すキッチン設備は、サブカウンター２を壁面Ｗａの右側へ配設し、メインカウンター３を壁面Ｗｂに接合させて両カウンター２及び３をＬ字状に配設したものである。この場合でもメインカウンター３は居住区Ｒ側へ突出した端面を有しており、居住区Ｒ側の家族等の気配を容易に感じ取ることができ、またストレートに居住区Ｒ側への移動が可能である。
図９はサブカウンター２とメインカウンター３を形成する場合の変形例を示すものであり、図（Ａ）はサブカウンター２を左右のもの２Ａ，２Ｂに分割し、これをメインカウンター３の壁面Ｗａ寄りの左右両端面側に配設したものである。また図（Ｂ）はサブカウンター２とメインカウンター３とを一体的に形成するようにしている。同一高さ面とすることにより、ワークトップとして広く利用することが可能である。
【００１９】
図１０に示す変形例は、サブカウンター２のメインカウンター３よりも左端側の領域に、床面Ｆから立ち上がった収納キャビネット１９を配設するようにしている。デッドスペースの有効利用を図り、利便性を考慮したものである。
図１１はサブカウンター２のメインカウンター３よりも右側に位置する部分の下方を、空間領域２０とし、該領域２０へ収納ワゴン２１を移動自在に配設している。デッドスペースの有効利用を図り、利便性を考慮したものである。
図１２はサブカウンター２とメインカウンター３との間に段差を設けるようにしている。図（Ａ）に示すものはサブカウンター２の方を高くなるようにし、図（Ｂ）に示すものはメインカウンター３の方を高くなるようにしている。このように段差を設けた場合は、それぞれの作業領域を区別して材料等が混同しない別々の調理を行う等のことが可能である。
【００２０】
図１３はサブカウンター２とメインカウンター３との間に通路２２を形成した場合のものである。作業領域Ｄ及びＥ間の行き来を便宜良くしたものである。
図１４はサブカウンター２の下方空間のデッドスペースを収納領域Ｊとして利用するようにしたものであって、そのための出入口としての開閉扉２３Ａ〜２３Ｄをサブカウンター２及びメインカウンター３に設けたものである。デッドスペースの有効利用を図るものである。
図１５の図（Ａ）及び図（Ｂ）はメインカウンター３の下方空間領域に、配管スペースＳを確保するようにしたものであり、図１６はサブカウンター２とメインカウンター３の両方に配管スペースを確保するようにしたものである。
【００２１】
ところで、本発明は上述した実施の形態に限定されるものではなく、図示した各実施の形態並びに変形例を複合的に組み合わせて使用することが可能であり、色々な構成対応が可能である。
【００２２】
【発明の効果】
以上説明したように本発明にあっては、壁面に沿って配設されるサブカウンターの前面側略中央部から居住区側へＴ字状に突出してメインカウンターを配設し、該メインカウンターにおける前記サブカウンターよりも突出した部分に加熱具を配設し、該加熱具よりも居住区寄りにシンクを配設したので、メインカウンターで調理の作業をしている者は、ストレートに居住区側へ移動することができ、便利であり、居住区側における子供やその他の家族の気配も容易に感じ取ることができ、何かあった場合にはこれに迅速に対処することが可能である。
【００２３】
また本発明にあっては、サブカウンターの前面側略中央部から居住区側へＴ字状に突出してメインカウンターを配設したので、メインカウンターの長手方向の対面側にも作業領域を確保できるから、共同作業が容易に行える。さらに、メインカウンターの居住区側に面する端面に、サイドテーブルやサイドワゴンを付属して設置することで、より多目的な利用ができるようにしている。
同様に、サブカウンターの周辺にも、その上方にウォールユニットやフードを設けたり、ワゴンをサブカウンター内へ組み込んだりすれば、より多目的な利用ができる。
【００２４】
更に、サブカウンターとメインカウンターとの両者間においては、両方のカウンターを一体的に形成し、その統一的なデザインを図ったり、また段差を設けてそれぞれのカウンターごとの作業を明確に分離化したり、両カウンターを通じて配管スペースを設けたり、両カウンター間に通路を設けたりすることで、より多目的な利用ができる。
【図面の簡単な説明】
【図１】本発明の一実施の形態に係るキッチン設備の全体を示す斜視図である。
【図２】本発明の一実施の形態に係るキッチン設備にサイドテーブルを付加した場合の平面図である。
【図３】本発明の一実施の形態に係るキッチン設備にサイドテーブルを付加した場合の側面図である。
【図４】本発明の一実施の形態に係るキッチン設備にサイドテーブルを付加した場合の正面図である。
【図５】本発明の変形例を示すものであり、図（Ａ）はレンジフードの平面図、図（Ｂ）はキッチン設備を作業領域側から見た縦断面図である。
【図６】本発明の更に他の変形例を示すものであり、排気ダクトを上の階へ抜き出すようにしたキッチン設備の縦断面図である。
【図７】本発明の更に他の変形例を示すものであり、ウォールキャビネットを下方へ延長して設けたキッチン設備の縦断面図である。
【図８】参考例を示すものであり、サブカウンターとメインカウンターとをＬ字状に配設したキッチン設備の配置図である。
【図９】本発明の更に他の変形例を示すものであり、図（Ａ）はサブカウンターとメインカウンターとを分離して設けた概略平面図、図（Ｂ）はサブカウンターとメインカウンターとを一体的に設けた概略平面図である。
【図１０】本発明の更に他の変形例を示すものであり、サブカウンターに床面から立ち上がった収納庫を設けた概略平面図である。
【図１１】本発明の更に他の変形例を示すものであり、サブカウンターに収納ワゴンを組み込むようにしたキッチン設備の斜視図である。
【図１２】本発明の更に他の変形例を示すものであり、図（Ａ）はサブカウンターをメインカウンターより高くした場合のキッチン設備の斜視図、図（Ｂ）はメインカウンターをサブカウンターより高くした場合のキッチン設備の斜視図である。
【図１３】本発明の更に他の変形例を示すものであり、サブカウンターとメインカウンターとの間に通路を設けたキッチン設備の斜視図である。
【図１４】本発明の更に他の変形例を示すものであり、サブカウンターのデッドスペースを収納領域としたキッチン設備の概略平面図である。
【図１５】本発明の更に他の変形例を示すものであり、図（Ａ）はメインカウンターを断面したキッチン設備の正面図、図（Ｂ）はキッチン設備の平面図である。
【図１６】本発明の更に他の変形例を示すキッチン設備の平面図である。
【図１７】本発明の更に他の変形例を示すキッチン設備の縦断面正面図である。
【図１８】従来のキッチン設備の概略平面図である。
【符号の説明】
２…サブカウンター、３…メインカウンター、４…収納キャビネット、５…引出キャビネット、６…ウォールユニット、８…コンロ、９…シンク、１０…グリル  １３…サイドテーブル、１４…レンジフード、１６…ウォールキャビネット、２４…収納棚、２６…ダボ、２７…収納棚、２９…下方空間、Ｄ…メイン作業領域、Ｅ…サブ作業領域、Ｆ…床面、Ｓ…配管スペース、Ｒ…居住区、Ｗａ…正面側壁面、Ｗｂ…右側壁面
【図１】
0004161184.tif 000002
【図２】
0004161184.tif 000003
【図３】
0004161184.tif 000004
【図４】
0004161184.tif 000005
【図５】
0004161184.tif 000006
【図６】
0004161184.tif 000007
【図７】
0004161184.tif 000008
【図８】
0004161184.tif 000009
【図９】
0004161184.tif 000010
【図１０】
0004161184.tif 000011
【図１１】
0004161184.tif 000012
【図１２】
0004161184.tif 000013
【図１３】
0004161184.tif 000014
【図１４】
0004161184.tif 000015
【図１５】
0004161184.tif 000016
【図１６】
0004161184.tif 000017
【図１７】
0004161184.tif 000018
【図１８】
0004161184.tif 000019